(57)【要約】      （修正有）【課題】使用者が着座又は横臥した姿勢のままで気軽に手や足の屈伸運動を行うことができる健康器具を提供する。【解決手段】健康器具１において、使用者の身体を保持するための保持具６を載置できる台座２と、台座に垂直に設けられた、使用者の身体を跨ぐ門型の支持体３と、支持体に揺動自在に設けられ、使用者の両手又は両足を引っ掛けて屈伸運動するために伸縮自在となっている２本の吊り輪４とを設けた。また、台座と支持体との間に、下端部が台座の上部にあって支持体よりも後方側に取付けられ、上端部が支持体の各柱７、８の中途部後方側に取付けられた傾斜状の持ち手を設けた。さらに、支持体に２本の吊り輪を間隔変更可能に設けた。【選択図】図１
0003213872.tif 000002
【実用新案登録請求の範囲】
【請求項１】
使用者の身体を保持するための保持具を載置できる台座と、
前記台座に垂直に設けられた、使用者の身体を跨ぐ門型の支持体と、
前記支持体に揺動自在に設けられ、使用者の両手又は両足を引っ掛けて屈伸運動するために伸縮自在となっている２本の吊り輪と、
を有することを特徴とする健康器具。
【請求項２】
前記台座と支持体との間に傾斜状の持ち手を設けたことを特徴とする請求項１に記載の健康器具。
【請求項３】
前記支持体に２本の吊り輪を間隔変更可能に設けたことを特徴とする請求項１又は請求項２に記載の健康器具。
【考案の詳細な説明】
【技術分野】
【０００１】
本考案は、着座又は横臥した姿勢で両手又は両足の屈伸運動をすることができる健康器具に関するものである。
【背景技術】
【０００２】
従来より、健康維持や健康増進などを目的として家庭内で身体運動が行える健康器具が多く考案されている。
【０００３】
たとえば、特許文献１に開示された健康器具では、台に立設した支柱の上端部に腰掛け部を設けるとともに、台と腰掛け部との間にバネを設けた構成となっている。
【０００４】
そして、この健康器具では、使用者が起立した姿勢からバネの付勢力に抗して腰掛け部に腰掛けることで、足の屈伸運動が行えるようになっている。
【先行技術文献】
【特許文献】
【０００５】
【特許文献１】実用新案登録第３１９８４１３号公報
【考案の概要】
【考案が解決しようとする課題】
【０００６】
ところが、上記従来の健康器具では、使用者が一旦起立した後に起立した姿勢から足の屈伸運動を開始しなければならないものであった。
【０００７】
そのため、使用者の体重が負荷として使用者の足にかかった状態で足の屈伸運動を行わなければならず、また、使用者が座ったままの姿勢や寝たままの姿勢では屈伸運動を行うことができず、使用者が気軽に屈伸運動を行うことができないものであった。
【課題を解決するための手段】
【０００８】
そこで、請求項１に係る本考案では、健康器具において、使用者の身体を保持するための保持具を載置できる台座と、前記台座に垂直に設けられた、使用者の身体を跨ぐ門型の支持体と、前記支持体に揺動自在に設けられ、使用者の両手又は両足を引っ掛けて屈伸運動するために伸縮自在となっている２本の吊り輪とを有することにした。
【０００９】
また、請求項２に係る本考案では、前記請求項１に係る本考案において、前記台座と支持体との間に傾斜状の持ち手を設けることにした。
【００１０】
また、請求項３に係る本考案では、前記請求項１又は請求項２に係る本考案において、前記支持体に２本の吊り輪を間隔変更可能に設けることにした。
【考案の効果】
【００１１】
そして、本考案では、以下に記載する効果を奏する。
【００１２】
すなわち、本考案では、健康器具において、使用者の身体を保持するための保持具を載置できる台座と、前記台座に垂直に設けられた、使用者の身体を跨ぐ門型の支持体と、前記支持体に揺動自在に設けられ、使用者の両手又は両足を引っ掛けて屈伸運動するために伸縮自在となっている２本の吊り輪とを有することにしているために、使用者が保持具に着座又は横臥した姿勢のままで手又は足の屈伸運動を行うことができ、使用者が気軽に屈伸運動を行うことができる。
【００１３】
特に、前記台座と支持体との間に傾斜状の持ち手を設けることにした場合には、持ち手を持った姿勢で足の屈伸運動を行うことができ、使用者の身体のふらつきを防止して安定した姿勢で足の屈伸運動を行うことができる。
【００１４】
また、前記支持体に２本の吊り輪を間隔変更可能に設けることにした場合には、使用者の体型（両手や両足の間隔）に応じて手又は足を吊下げる吊り輪の間隔を容易に変更することができ、使用者の体型にかかわらず安定した姿勢で屈伸運動を行うことができる。
【図面の簡単な説明】
【００１５】
【図１】本考案に係る健康器具を示す正面図。
【図２】同右側面図。
【図３】同平面図。
【考案を実施するための形態】
【００１６】
以下に、本考案に係る健康器具の具体的な構成について図面を参照しながら説明する。
【００１７】
図１〜図３に示すように、健康器具１は、概ね、台座２と支持体３と２本の吊り輪4,4とで構成している。
【００１８】
台座２は、床５に載置することができるように平面状に形成しており、平板でもよく枠体でもよい。この台座２には、使用者の身体を保持するための保持具６が前後方向に向けて載置される。保持具６は、使用者の身体を着座姿勢又は横臥姿勢で保持することができる座椅子やベッドなどを用いることができる。この保持具６は、台座２を平板状に形成した場合にはその上部に載置し、台座２を枠状に形成した場合にはその枠内又は枠上に載置する。なお、保持具６として、リクライニング式の座椅子を用いることで、使用者の身体を着座姿勢及び横臥姿勢で保持することができる。
【００１９】
支持体３は、台座２の前後方向における中央部の上側に水平な台座２に対して垂直に設けられている。この支持体３は、台座２の上部に左右一対の柱7,8を垂直に立設するとともに、柱7,8の上端間に円筒状の梁９を架設して、保持具６で保持される使用者の身体を跨ぐように門型に形成されている。
【００２０】
この支持体３には、台座２との間に使用者が把持することができる持ち手10,10が設けられている。各持ち手10は、下端部が台座２の上部であって支持体３よりも後方側に取付けられ、上端部が支持体３の各柱7,8の中途部後方側に取付けられており、台座２と支持体３との間に傾斜状に設けられている。
【００２１】
各吊り輪４は、上端部に左右方向に中心線を向けた環状の回動部11を形成し、下端部に前後方向に中心線を向けた環状の吊部12を形成し、回動部11と吊部12との間に上下方向に伸縮自在に伸延する伸縮部13を形成している。
【００２２】
この各吊り輪４は、支持体３の梁９に回動部11を前後方向に向けて揺動自在で左右方向に向けて移動自在に取付けている。これにより、使用者は、体型などに応じて２本の吊り輪4,4の間隔を変更することができる。
【００２３】
また、各吊り輪４は、吊部12に使用者の手や足を通すことで使用者の手首や足首を吊部12で保持することができるようになっている。なお、各吊り輪４の吊部12や伸縮部13は、使用者の体型などに応じてサイズを変更してもよい。
【００２４】
健康器具１は、以上に説明したように構成しており、使用者が着座姿勢又は横臥姿勢のまま身体を保持部６で保持した状態で使用者の手又は足を各吊り輪４の吊部12に通して使用者の手首や足首を吊部12に保持させることができる。
【００２５】
そして、健康器具１は、使用者が上記状態から各吊り輪４の伸縮部13の伸縮力に抗して手や足を屈伸させたり上下や左右に動かすことで、使用者が手や足の屈伸運動などの身体運動を行うことができるようになっている。
【００２６】
なお、使用者は、各吊り輪４の吊部12を手で握って身体運動を行うようにしてもよい。また、使用者は、両手で持ち手10を握って足の運動を行ったり、片手で持ちて10を握って他方の手の運動を行うこともできる。さらに、使用者は、テレビ等の映像を見ながらでも身体運動を行うことができ、手又は足の運動と相俟って脳の活性化を図ることができ、また、着座姿勢において吊り輪４の吊部12を両脇に挿入することで背筋が伸ばされて姿勢の矯正を行ったり或は上半身が引上げられて腰への負担を軽減させることができる。
【００２７】
以上に説明したように、上記健康器具１は、使用者の身体を保持するための保持具６を載置できる台座２と、台座２に垂直に設けられた、使用者の身体を跨ぐ門型の支持体３と、支持体３に揺動自在に設けられ、使用者の両手又は両足を引っ掛けて屈伸運動するために伸縮自在となっている２本の吊り輪4,4とを有する構成となっている。
【００２８】
そのため、上記構成の健康器具１では、使用者が保持具６に着座又は横臥した姿勢のままで手又は足の屈伸運動を行うことができ、使用者が気軽に屈伸運動を行うことができる。
【００２９】
また、上記健康器具１は、台座２と支持体３との間に傾斜状の持ち手10,10を設けた構成となっている。
【００３０】
そのため、上記構成の健康器具１では、持ち手10,10を持った姿勢で足の屈伸運動を行うことができ、使用者の身体のふらつきを防止して安定した姿勢で足の屈伸運動を行うことができる。
【００３１】
さらに、上記健康器具１は、支持体３に２本の吊り輪4,4を間隔変更可能に設けた構成となっている。
【００３２】
そのため、上記構成の健康器具１では、使用者の体型（両手や両足の間隔）に応じて手又は足を吊下げる吊り輪の間隔を容易に変更することができ、使用者の体型にかかわらず安定した姿勢で屈伸運動を行うことができる。
【符号の説明】
【００３３】
１  健康器具                      ２  台座
３  支持体                        ４  吊り輪
５  床                            ６  保持具
7,8  柱                           ９  梁
10  持ち手                        11  回動部
12  吊部                          13  伸縮部
【図１】
0003213872.tif 000003
【図２】
0003213872.tif 000004
【図３】
0003213872.tif 000005